(57)【要約】本発明は、コネクタ本体６に配置構成された第１のロッキング・デバイス４を備えた、モジュラ・コネクタなどのコネクタ２に関し、第１のロッキング・デバイスは細長く、一方の端部８がコネクタ本体に固定的に配置構成され、他方の端部１０はコネクタ本体から離れて束縛されずに配置構成されており、装着時にはコネクタ本体と反対方向に移動可能Ｒであり、かつコネクタ向けの雌コネクタとかみ合うように接続されることを意図するように弾性があり、これによってコネクタは第１のロッキング・デバイス内部のスプリング・アクションによって再度切断可能であり、さらにコネクタ２は、コネクタ本体に対して配置構成された移動可能なロッキング・ピン１４を備えた第２のロッキング・デバイス１２を備え、これによって第１のロッキング・デバイス４は、第２のロッキング・デバイス１２のロッキング・ピン１４の移動Ｆによって堅固にロックすることが可能である。
2006518088.tif 000002
【特許請求の範囲】
【請求項１】
コネクタ本体（６）に配置構成された第１のロッキング・デバイス（４）を備えた、モジュラ・コネクタなどのコネクタ（２）であって、第１のロッキング・デバイスは細長く、一方の端部（８）が前記コネクタ本体に固定的に配置構成され、他方の端部（１０）は前記コネクタ本体から離れて束縛されずに配置構成されており、装着時には前記コネクタ本体と反対方向に移動可能（Ｒ）であり、かつ前記コネクタ向けの雌コネクタとかみ合うように接続されることを意図するように弾性があり、これによって前記コネクタは前記第１のロッキング・デバイス内部のスプリング・アクションによって再度切断可能であり、さらにコネクタ（２）は、前記コネクタ本体に対して配置構成された前記コネクタ本体に対して移動可能なロッキング・ピン（１４）を備えた第２のロッキング・デバイス（１２）を備え、これによって前記第１のロッキング・デバイス（４）は、前記第２のロッキング・デバイス（１２）の前記ロッキング・ピン（１４）の移動（Ｆ）によって堅固にロックすることが可能であることを特徴とするコネクタ。
【請求項２】
前記コネクタ（２）の前記第２のロッキング・デバイス（１２）は保持デバイス（２２）を有し、前記ロッキング・ピン（１４）が前記保持デバイスの開口部内で移動（Ｆ）可能であることを特徴とする請求項１に記載のコネクタ（２）。
【請求項３】
前記ロッキング・ピン（１４）は前記保持デバイスの前記開口部（２４）内にねじ込まれることを特徴とする請求項２に記載のコネクタ（２）。
【請求項４】
前記ロッキング・ピン（１４）は、前記保持デバイスの前記開口部（２４）内に滑りばめ又は押込みばめを使用して配置構成されることを特徴とする請求項２に記載のコネクタ（２）。
【請求項５】
前記コネクタ（２）の短い側面（１６）にあるロッキング・ピン（１４）の一方の端部は、対応する形状又は特性を有するツールとのみ連携可能な形状又は材料特性を有することを特徴とする前記請求項のいずれか一項に記載のコネクタ（２）。
【請求項６】
前記ロッキング・ピン（１４）のヘッドに、ねじ回し、六角レンチ、又は同様のツールと合致するスロットが提供されることを特徴とする請求項５に記載のコネクタ（２）。
【請求項７】
前記ロッキング・ピンは少なくとも部分的に磁気材料からなることを特徴とする請求項５に記載のコネクタ（２）。
【発明の詳細な説明】
【技術分野】
【０００１】
本発明は、好ましくは遠隔通信、データ通信、又は同様の通信用のネットワーク向けである、モジュラ・コネクタなどのコネクタに関する。
【背景技術】
【０００２】
今日の技術社会では、ますます多くの通信用ネットワークが構築されつつある。これらのネットワークでは、コネクタ、とりわけタイプＲＪ４５、ＲＪ１２、又はＲＪ１１のいわゆるモジュラ・コネクタが使用され、コネクタの一方の側に配置構成された弾性ロッキング・タング（ｌｏｃｋｉｎｇ  ｔｏｎｇｕｅ）を有する。コネクタは、一般に、コンピュータ、モデム、電話ユニット、又は同様のものなどの装置に固定された対応する雌コネクタ内に差し込まれるように意図される。コネクタが対応するコネクタ向けの雌コネクタに挿入されると、ロッキング・タングが雌コネクタとかみ合って接続される。コネクタを雌コネクタから切り離さなければならない場合、又は雌コネクタとかみ合わせるように差し込まなければならない場合、ロッキング・タングにはコネクタ本体と反対方向の負荷がかけられ、これによりロッキング・タング内部のスプリング・アクションによって、それぞれ切断可能及び接続可能となる。
【０００３】
これらの雌コネクタは、しばしば、慎重な又は無意識のアクションによって誰でもコネクタを雌コネクタから取り外し、その後ネットワーク内の通信を切断できるように配置される。そのため、不適切なコネクタが取り外された場合、破滅的な結果を招く可能性がある。
【０００４】
特許文書第ＪＰ２００１１１８６３７号には、雌コネクタ内の組み込み型ロッキングが下からのロッキング・ピンによってモジュラ・コネクタを堅固にロックするという解決策が記載されている。一般に、すべての雌コネクタはすでに完成品装置内に固定的に取り付けられており、既存の装置にロックを挿入する費用はかなりの額になるため、これで上記の問題を解決することにはならない。
【０００５】
公告第ＤＥ−Ｕ１−２９８１９１４７号による他の解決策では、モジュラ・コネクタ上で既存の弾性ロッキング・タングが使用される。２つの部分からなるプラスチック・カバーがコネクタ周囲に配置構成され、ロッキング・タングが押し下げられるのを防ぐ。しかしながら、この解決策は永続的なロッキングを提供するものであり、モジュラ・コネクタの接続及び切断時にプラスチック・カバーの各部をばらばらにしておかなければならないため使用が複雑になり、許可された人物にとって組立て／分解での容易な取り扱いが困難になる。プラスチック・カバーの各部を分離するために、例えばねじ回し又はナイフなどのとがっていないツールを使用することによって、コネクタ又はコネクタがプラグインされる装置に損傷を与える危険性がある。
【発明の開示】
【発明が解決しようとする課題】
【０００６】
本発明の一目的は、従来技術に従った配置構成に関連付けられた前述の欠点を少なくとも部分的に解消する、ロッキング・デバイスを備えたコネクタを達成することである。他の目的は、未許可の人物による装置内のコネクタの分解／組立てを困難にし、コネクタのロッキングを解除する際に装置及びコネクタにかかる損傷のリスクを最小限にすると同時に、装置内での接続／切断の容易な使用を可能にすることである。他の目的は、低コストで製造可能なロッキング・デバイスを備えたコネクタを達成することである。
【課題を解決するための手段】
【０００７】
これらの目的は、コネクタ本体に配置構成された第１のロッキング・デバイスを備えた、請求項１に定義された本発明に従ったモジュラ・コネクタなどのコネクタによって達成され、第１のロッキング・デバイスは細長く、一方の端部がコネクタ本体に固定的に配置構成され、他方の端部はコネクタ本体から離れて束縛されずに配置構成されており、装着時にはコネクタ本体と反対方向に移動可能であり、かつコネクタ向けの雌コネクタとかみ合うように接続されることを意図するように弾性があり、これによってコネクタは第１のロッキング・デバイス内部のスプリング・アクションによって再度切断可能であり、さらにコネクタは、コネクタ本体に対して配置構成されたコネクタ本体に対して移動可能なロッキング・ピンを備えた第２のロッキング・デバイスを備え、これによって第１のロッキング・デバイスは、第２のロッキング・デバイスのロッキング・ピンの移動によって堅固にロックすることが可能である。
【０００８】
本発明に従ったこの解決策の利点は、コネクタの弾性のある細長いロッキング・デバイスに対して従来実行された未許可の人物による慎重な又は無意識のアクションを、前記第２のロッキング・デバイスによる堅固なロッキングによって防ぐことができることである。許可された人物は、重要な接触部においてこれらのロック可能なコネクタを配置構成することが可能であり、好ましくは、未許可の人物又は何者かが誤ってこの接続を破ることがほとんどないように、コネクタをロックすることも可能である。本発明に従った解決策は、費用効果の高い製造も可能にする。第２のロッキング・デバイスの開閉は、いずれの部分も分離させる必要なしに提供され、コネクタのロッキングを解除する際に装置及び接触部に与える損傷のリスクを最小限にする。
【０００９】
本発明の好ましい実施例によれば、第２のロッキング・デバイスは、特別な形状のツールによってのみ開閉が可能なように、及び、正しいツールを有する許可された人物のみがロッキングを容易に開けてコネクタを取り外すことができるように、設計することができる。
【００１０】
本発明に従ったコネクタの第２のロッキング・デバイスは、好ましくはコネクタに固定されたロッキング・ピン用の保持デバイスを備え、保持デバイス内の開口部における相反する動きによってロッキング・ピンを移動させることができる。ロッキング・ピンは、保持デバイス内にねじ込むことが可能であり、それによって例えば、ロッキング・ピンのヘッドにのみ合う特別な形状のツールを使用して保持デバイス内にねじで固定することによって、ロッキング・ピンを移動させなければならない。
【００１１】
別の方法として、ロッキング・ピンは、滑りばめ（ｓｎｕｇ  ｆｉｔ）又は押込みばめ（ｐｕｓｈ  ｆｉｔ）を使用して保持デバイス内の開口部に配置構成することが可能であり、これによってロッキング・ピンは保持デバイス内のある又はわずかな摩擦によって滑り移動することが可能である。この点に関して、開口部又は別のツール上のいずれかに配置構成された電磁石などの磁石が保持デバイス内の開口部でのロッキング・ピンの移動を好適に制御することができる。代替の実施例によれば、ロッキング・ピンの移動は、電子的又は空気圧による制御手段によって制御することができる。
【００１２】
本発明に従ったコネクタは、好ましくはタイプＲＪ４５、ＲＪ１２、又はＲＪ１１の好適なモジュラ・コネクタである。コネクタは、好適には、遠隔通信、データ通信、又は同様の通信用のネットワーク向けである。
【００１３】
本明細書の「ロッキング・ピン」は、棒、軸、コッタ、ケーシング、ねじ、などの任意の細長いデバイスを意味する。
【００１４】
本発明の実施例に従った追加の利点及び特徴は、特許請求の範囲から及び実施例の以下の説明からも明白である。
【００１５】
次に本発明について、本発明の解釈を制限することなしに、添付の図面を参照しながら実施例においてより詳細に説明する。
【実施例】
【００１６】
図１Ａ〜Ｆに従った本発明の実施例では、この場合はモジュラ・コネクタであるコネクタ２が示されている。コネクタ２は、コネクタ本体６に配置構成された第１のロッキング・デバイス４を有する。第１のロッキング・デバイス４はＬ方向（図１Ａを参照）に細長く、Ｒ方向（図１Ｂを参照）に弾性がある。第１のロッキング・デバイス４の一方の端部８はコネクタ本体６に固定的に配置構成され、他方の端部１０はコネクタ本体６から離れて束縛されずに配置構成される。さらにコネクタ２は、コネクタ本体に配置構成され、可動ロッキング・ピン１４を備えた、第２のロッキング・デバイス１２を有する。したがって、第２のロッキング・デバイス１２はコネクタ２と一体型である。コネクタ２の一方の短い端部１６に電線（図示せず）が接続され、これはコネクタの他方の短い側面２０でシート・メタル・シールド１８（図１Ａ及び１Ｄを参照）に接続される。
【００１７】
図１Ａ〜Ｃに示されるように、コネクタ２から移動したロッキング・ピン１４のこの位置では、弾性のある第１のロッキング・デバイス４は、圧力がかけられると、コネクタ本体６とは反対のＲの方向（図１Ｂを参照）に移動可能であり、これにより、コネクタ２の接続がコネクタ２向けの雌コネクタ（図示せず）とかみ合うことができる。コネクタが雌コネクタ内に完全に挿入され、第１のロッキング・デバイスへの負荷が解除されると、ロッキング・デバイスはスプリングで図１Ａ〜Ｆに示されるような位置まで戻り、一方の端部８にある突出部分が対応する雌コネクタのくぼみとかみ合うことになる。コネクタ２は、第１のロッキング・デバイス４内部のスプリング・アクションによって、コネクタ本体６とは反対の方向Ｒに移動することにより、雌コネクタから再度切断することが可能であり、これによりコネクタを雌コネクタから引き出すことができる。
【００１８】
図１Ｄ〜Ｆに示されるように、第１のロッキング・デバイス４は、第２のロッキング・デバイス１２のロッキング・ピン１４のコネクタ２と反対の方向への移動によってロックすることができる。ロッキング・デバイス１４の一方の端部が、第１のロッキング・デバイスの他方の端部１０の直下に隣接して配置される。好ましくは、ロッキング・ピン１４の移動Ｆは、コネクタ本体６の長い側面２１に対してほぼ平行に実行することができる。しかしながらロッキング・ピンのこの移動は、短い側面２０に対して平行などの他の方向で実行可能なように調整することができる。
【００１９】
本発明の実施例によれば、好ましくはコネクタの第２のロッキング・デバイスは、図１Ａ〜Ｆに示されるようにコネクタに固定的に配置構成されたロッキング・ピン１４用の保持デバイス２２を備え、ロッキング・ピンは保持デバイスの開口部２４内を移動することができる。このようにして保持デバイス２２は、コネクタ２の短い側面１６にある構造物／ビルトアップ、及び短い側面１６に最も近い長い側面２１の一部とすることが可能であり、これによって構造物／ビルトアップは、第１のロッキング・デバイス４の第２の端部１０とは反対及びこれに隣接する方向に、縦の延長部分を有する。しかしながら、保持デバイス２２は他の形状を有する可能性があり、図１Ａ〜Ｆに従って実施例に示されたものとは別の方法によってコネクタに配置構成可能であることを明らかにしなければならない。
【００２０】
図１Ａ〜Ｆに示されたロッキング・ピン１４にはねじ山が提供されている。しかしながら、別の方法としてロッキング・ピンは、滑りばめ又は押込みばめを使用して保持デバイスの開口部２４内に配置構成することも可能である。
【００２１】
コネクタの外部にあるロッキング・ピン１４の突出した端部は、ツール（図示せず）と連携するように好適に適合される。例えばヘッド２６には、ねじ回し、六角レンチ（アレン・キー）、又は同様のツールのうちの１タイプと合致する、スロットを提供することが可能である。別の方法として、ロッキング・ピンは少なくとも部分的に、好ましくはコネクタの短い側面１６とは反対に配置構成された一方の端部で、磁気材料からなるか、又は磁気材料が提供されることが可能である。この点に関して、保持デバイスの開口部内でのロッキング・ピンの移動を、開口部又は別のツール上のいずれかに配置構成された、電磁石などの磁石（図示せず）によって制御することができる。
【図面の簡単な説明】
【００２２】
【図１Ａ】第２のロッキング・デバイスのロッキング・ピンが、弾性のある第１のロッキング・デバイス内部のスプリング・アクションを可能にする位置に配置構成された、本発明に従ったコネクタを示す斜視概略図である。
【図１Ｂ】図１Ａに従ったコネクタを真横から見た図である。
【図１Ｃ】図１Ａ及び１Ｂに従ったコネクタを真上から見た図である。
【図１Ｄ】第２のロッキング・デバイスのロッキング・ピンが、弾性のある第１のロッキング・デバイス内部のスプリング・アクションを防ぐような位置に配置構成された、図１Ａ〜Ｃに従ったコネクタを示す斜視概略図である。
【図１Ｅ】図１Ｄに従ったコネクタ及びロッキング・ピンの位置を真横から見た図である。
【図１Ｆ】図１Ｆに従ったコネクタ及びロッキング・ピンの位置を真上から見た図である。
2006518088.tif 000003
【国際調査報告】
2006518088.tif 000004
2006518088.tif 000005
2006518088.tif 000006